(57)【要約】【課題】  画像キャプチャ時に生成するちらつきと色の偏りの問題を解決すると共に、デジタルアナログ変換器の使用量を減らし、製造コストを減らした画像入出力システムの提供。【解決手段】  画像入出力システムは位相比較器、画像同期信号ジェネレータ、センサタイミングジェネレータ、センサ、画像カラー処理ユニット、及びビデオエンコーダを具えている。該画像入出力システムは電源或いは光源が電圧比較器で変換された後に生成する電源或いは光源周波数と同期するデジタル信号を受け取り、並びに該デジタル信号を参考とし、システムが生成する垂直画像同期信号に対してクロックサイクル補償を実行する。結果として、垂直画像同期信号が交流電源或いは光源周波数と同期し、且つ非常に小さい誤差範囲内に制御可能である。画像入出力システム中のセンサの露光時間点を交流電源或いは光源の周波数及び位相と同期させる。【選択図】        図３
2006238399.tif 000002
【特許請求の範囲】
【請求項１】
画像入出力システムにおいて、
位相比較器であって、デジタル信号と垂直画像同期信号を受け取り、このデジタル信号と垂直画像同期信号のクロックサイクルを比較し、並びにクロック修正信号を発生する、上記位相比較器と、
画像同期信号発生器であって、前述のクロック修正信号を受け取り、且つ前述の垂直画像同期信号の発生に用いられ、該クロック修正信号に基づき該画像同期信号発生器の発生する次の垂直画像同期信号のクロックサイクルを修正する、上記画像同期信号発生器と、  センサタイミング発生器であって、前述の垂直画像同期信号を受け取り、並びに該垂直画像同期信号に基づきセンサタイミング信号を発生する、上記センサタイミング発生器と、
センサであって、前述のセンサタイミング信号を受け取り、並びに画像をキャプチャした後、オリジナル画像データを発生する、上記センサと、
画像カラー処理ユニットであって、前述のオリジナル画像データを受け取り、並びに該オリジナル画像データに対して画像処理を行い、目標画像データを発生する、上記画像カラー処理ユニットと、
ビデオエンコーダであって、前述の垂直画像同期信号と前述の目標画像データを受け取り、並びに該垂直画像同期信号と該目標画像データに対してエンコードを行い、アナログビデオエンコード画像データを発生する、上記ビデオエンコーダと、
を具え、そのうち、前述のデジタル信号がアナログ信号を変換して発生したものであることを特徴とする、画像入出力システム。
【請求項２】
請求項１記載の画像入出力システムにおいて、電圧比較器を更に具え、該電圧比較器は前述のアナログ信号を受け取り並びに変換して該アナログ信号の周波数と同期する前述のデジタル信号を発生し、該アナログ信号は電源或いは光源のいずれかとされることを特徴とする、画像入出力システム。
【請求項３】
画像入力システムにおいて、
位相比較器であって、デジタル信号と垂直画像同期信号を受け取り、このデジタル信号と垂直画像同期信号のクロックサイクルを比較し、並びにクロック修正信号を発生する、上記位相比較器と、
画像同期信号発生器であって、前述のクロック修正信号を受け取り、且つ前述の垂直画像同期信号の発生に用いられ、該クロック修正信号に基づき該画像同期信号発生器の発生する次の垂直画像同期信号のクロックサイクルを修正する、上記画像同期信号発生器と、  センサタイミング発生器であって、前述の垂直画像同期信号を受け取り、並びに該垂直画像同期信号に基づきセンサタイミング信号を発生する、上記センサタイミング発生器と、
センサであって、前述のセンサタイミング信号を受け取り、並びに画像をキャプチャした後、オリジナル画像データを発生する、上記センサと、
を具え、そのうち、前述のデジタル信号がアナログ信号を変換して発生したものであることを特徴とする、画像入出力システム。
【請求項４】
請求項３記載の画像入出力システムにおいて、電圧比較器を更に具え、該電圧比較器は前述のアナログ信号を受け取り並びに変換して該アナログ信号の周波数と同期する前述のデジタル信号を発生し、該アナログ信号は電源或いは光源のいずれかとされることを特徴とする、画像入出力システム。
【発明の詳細な説明】
【技術分野】
【０００１】
本発明は一種の画像処理システムに係り、特に画像入出力システムに関する。
【背景技術】
【０００２】
図１は一般の画像入出力システムを示す。該画像入出力システム１０は、電圧比較器（Ｖｏｌｔａｇｅ  ｃｏｍｐａｒａｔｏｒ）１２、フェースロック回路（ＰＬＬ；Ｐｈａｓｅ  ｌｏｃｋ  ｌｏｏｐ）１３、画像同期信号ジェネレータ（Ｉｍａｇｅ  ｓｙｎｃｈｒｏｎｏｕｓ  ｓｉｇｎａｌ  ｇｅｎｅｒａｔｏｒ）１３３、センサタイミングジェネレータ（Ｓｅｎｓｏｒ  ｔｉｍｉｎｇ  ｇｅｎｅｒａｔｏｒ）１４、センサ（Ｓｅｎｓｏｒ）１５、画像カラー処理ユニット（Ｉｍａｇｅ／Ｃｏｌｏｒ  ｐｒｏｃｅｓｓｉｏｎ  ｕｎｉｔ）１６、タイミングジェネレータ（Ｔｉｍｉｎｇ  Ｇｅｎｅｒａｔｏｒ）１７、ビデオエンコーダ（Ｖｉｄｅｏ  ｅｎｃｏｄｅｒ）１８を具えている。注意すべきことは、該画像入出力システム１０はフェースロック回路１３を利用して電源と同期する出力タイミング信号Ｐ１を画像同期信号ジェネレータ１３３、センサタイミングジェネレータ１４、画像カラー処理ユニット１６、及びビデオエンコーダ１８に出力することを以て、一般のデジタルシステム中のシステムクロックの代わりとし、これにより画像同期信号ジェネレータ１３３、センサタイミングジェネレータ１４、画像カラー処理ユニット１６、及びビデオエンコーダ１８がいずれも電源と同期し、電源周波数と位相をロックする機能を達成することである。この画像入出力システム１０中のその他の部品は原システムクロックを採用することで運転する。
該画像入出力システム１０はアナログ信号Ａｓ（一般電源、光源等の信号を包含しうる）を電圧比較器１２で変換した後にデジタル信号Ｖ１を生成する。本実施例中、周波数が５０或いは６０ヘルツの交流電源（ＡＣ）１１を以て、該アナログ信号Ａｓが代表される。当然、該交流電源１１の周波数はその他の周波数とされうる。フェースロック回路１３はアナログ方式でデジタル信号Ｖ１を必要な操作周波数まで倍加し、並びに出力タイミング信号Ｐ１を生成した後、該画像同期信号ジェネレータ１３３が出力タイミング信号Ｐ１を受け取り、垂直画像同期信号ＶＳＹＮＣを生成する。その後、フェースロック回路１３が垂直画像同期信号ＶＳＹＮＣを受け取ってデジタル信号Ｖ１と比較して出力タイミング信号Ｐ１の周波数を調整し、これにより垂直画像同期信号ＶＳＹＮＣの周波数を電源と同期させる効果を達成する。続いて、センサタイミングジェネレータ１４が垂直画像同期信号ＶＳＹＮＣと出力タイミング信号Ｐ１を受け取り、センサタイミング信号Ｓを生成する。そのうち、該センサタイミング信号Ｓはタイミング信号とセンサ１５を制御する多くの制御信号を包含する。センサ１５はセンサタイミング信号Ｓを受け取り、並びに画像キャプチャ後に原画像データ（Ｓｅｎｓｏｒ  ｒａｗ  ｄａｔａ）Ｓｒを生成する。画像カラー処理ユニット１６は原画像データＳｒに対して画像とカラーの処理を行ない、目標画像データＴを生成する。その後、ビデオエンコーダ１８がタイミングジェネレータ１７の生成したタイミング信号ＣＫ、出力タイミング信号Ｐ１、及び目標画像データＴを受け取り、並びにこれらの信号ＣＫ、Ｐ１、Ｔに対して整合とエンコードを実行した後、アナログビデオエンコード画像データＯを生成する。
周知の画像入出力システム１０は実際の応用上、以下のような問題を生成しうる。
１．画像入出力システム１０はセンサ１５を利用して画像をキャプチャする時、撮影環境の光源の多くは人造光源（例えば蛍光灯、白熱灯等）であり、非自然光源（太陽光）であり、且つ一般に人造光源は発光時に電源周波数の変動によりその発光の周波数が変化し、センサ１５による検出時に不断にちらつきと色の偏りの現象が生成して、画像データの出力品質が下がりうる。一般にこのような問題を解決する方法は、センサ１５の露光時間を延長するか、センサ１５の露光時間点と光源の変動周波数及び位相取得を同期させるというものである。センサ１５の露光時間を延長すると、センサ１５自身の露光時間長さ飽和の制限を受けやすく、このためある情況では正常運転不能となる。センサ１５の露光時間を延長するか、センサ１５の露光時間点と光源の変動周波数及び位相取得を同期させる方法は、コストが高くなり、且つ画像入出力システム１０中のフェースロック回路１３の抗雑音能力が低くなり、電源雑音が比較的大きい時、出力タイミング信号Ｐ１が電源周波数をロックできなくなり、センサタイミング信号Ｓも電源と同期不能となる。結果として、センサ１５の露光時間点と光源変動周波数は同期を取得不能となり、画像のちらつきと色の偏りの問題を解決できない。
２．図２に示されるように、このビデオエンコーダ１８はビデオタイミングジェネレータ１８１、輝度と同期信号ジェネレータ（Ｌｕｍｉｎａｎｃｅ／Ｓｙｎｃｈｒｏｎｏｕｓ  ｓｉｇｎａｌ  ｇｅｎｅｒａｔｏｒ）１８２、二つのデジタルアナログ変換器１８３、１８５、及び彩度バーストジェネレータ（Ｃｈｒｏｍａ／ｂｕｒｓｔ  ｇｅｎｅｒａｔｏｒ）１８４を具えている。一般に彩度バーストジェネレータ１８４は、彩度とバースト信号処理を行なう時、非常に正確（許容誤差範囲が非常に小さい）なタイミング信号を組み合わせる必要がある。フェースロック回路１３の出力タイミング信号Ｐ１は交流電源の周波数をロックする必要があり、これにより該出力タイミング信号Ｐ１は交流電源１１の変動により変動する。また一般にフェースロック回路１３の抗雑音能力は低く、ゆえに出力タイミング信号Ｐ１は固定され正確な出力を達成できない。これにより、画像入出力システム１０は別にタイミングジェネレータ１７により彩度バースト信号ジェネレータ１８４に高い正確度を具えた（誤差範囲が極めて小さい）タイミング信号ＣＫ（例えばＮＴＳＣ；Ｎａｔｉｏｎａｌ  Ｔｅｌｅｖｉｓｉｏｎ  Ｓｙｓｔｅｍ  Ｃｏｍｍｉｔｔｅｅ）中の、彩度、バースト処理に必要なタイミング信号ＣＫは３．５７９５４５ＭＨｚで、その許容誤差範囲は僅かに±５Ｈｚである）を提供する必要がある。ゆえに輝度と同期信号ジェネレータ１８２、及び彩度バースト信号ジェネレータ１８４は異なる規格のタイミング信号を受け取り、並びに異なる規格の出力信号を生成し、このため、それぞれ二つのデジタルアナログ信号変換器１８３、１８５を使用することでそれぞれデジタルアナログ変換を行なわねばならない。結果として全体の画像入出力システム１０の製造コストが増す。
【発明の開示】
【発明が解決しようとする課題】
【０００３】
このため、いかに一種の画像入出力システムを提供して、画像入出力システム中のセンサの露光時間点と電源或いは光源等のアナログ信号の周波数と同期させて、センサが画像キャプチャ時に生成するちらつきと色の偏りの問題を解決し、並びにデジタルアナログ変換器の使用数量を減らして製造コストを減らすかが、至急解決を求められる問題である。
上述の問題に対して、本発明は一種の画像入出力システムを提供して画像入出力システム中のセンサの露光時間点と電源或いは光源等のアナログ信号の周波数と同期させて、センサが画像キャプチャ時に生成するちらつきと色の偏りの問題を解決し、並びにデジタルアナログ変換器の使用数量を減らして製造コストを減らすことを目的としている。
本発明は一種の画像入出力システムを提供する。該画像入出力システムは電圧比較器でアナログ信号を変換した後に生成するデジタル信号を受け取る。該画像入出力システムは位相比較器、画像同期信号ジェネレータ、センサタイミングジェネレータ、センサ、画像カラー処理ユニット、及びビデオエンコーダを具えている。位相比較器は上述のデジタル信号と垂直画像同期信号を受け取り、このデジタル信号と垂直画像同期信号のクロックサイクルを比較し、並びにクロック修正信号を生成する。画像同期信号ジェネレータはクロック修正信号を受け取り、且つ垂直画像同期信号ジェネレータが垂直画像同期信号の生成に用いられる。また画像同期信号ジェネレータはクロック修正信号に基づき画像同期信号ジェネレータが生成した次の垂直画像同期信号のクロックサイクルを修正する。センサタイミングジェネレータは垂直画像同期信号を受け取り、並びに該垂直画像同期信号に基づきセンサタイミング信号を生成する。センサはセンサタイミング信号を受け取り、並びに画像をキャプチャした後にオリジナル画像データを生成する。画像カラー処理ユニットはオリジナル画像データを受け取り、並びに該オリジナル画像データに対して画像とカラーの処理を行ない、画像品質が良好な目標画像データを生成する。ビデオエンコーダは垂直画像同期信号と目標画像データを受け取り、並びに垂直画像同期信号と該目標画像データに対して整合とエンコードを行ない、アナログビデオエンコード画像データを生成する。
本発明の画像入出力システムは、電圧比較器が電源或いは光源のアナログ信号を受け取って変換後に生成するデジタル信号を受け取り、並びに該デジタル信号を参考とし、画像入出力システム自身が生成する垂直画像同期信号に対してクロックサイクル補償を行なう。結果として、垂直画像同期信号とアナログ信号周波数、位相が同期し、並びに該垂直画像同期信号が非常に小さい誤差範囲内に制御される。これにより画像入出力システム中のセンサタイミングジェネレータがアナログ信号と同期するセンサタイミング信号をセンサに提供する。結果としてセンサの露光時間点が交流電源の周波数、位相と同期し、センサが画像キャプチャ時に生成するちらつきと色の偏りの問題が解決される。
また、全体の画像入出力システムは同一システムクロックによる運転を採用し、並びに周知の技術のように別にフェースロック回路とタイミングジェネレータを利用することでビデオエンコーダに二種類の異なるタイミングを提供する必要がなく、このためビデオエンコーダが直接同一システムクロックを利用して画像の輝度、彩度、バースト、及び同期信号のエンコード処理を行なえる。ゆえに、本発明の画像入出力システムは使用するデジタルアナログ変換器が一つだけですみ、全体のシステムの製造コストを下げることができる。
【課題を解決するための手段】
【０００４】
請求項１の発明は、画像入出力システムにおいて、
位相比較器であって、デジタル信号と垂直画像同期信号を受け取り、このデジタル信号と垂直画像同期信号のクロックサイクルを比較し、並びにクロック修正信号を生成する、上記位相比較器と、
画像同期信号ジェネレータであって、前述のクロック修正信号を受け取り、且つ前述の垂直画像同期信号の生成に用いられ、該クロック修正信号に基づき該画像同期信号ジェネレータの生成する次の垂直画像同期信号のクロックサイクルを修正する、上記画像同期信号ジェネレータと、
センサタイミングジェネレータであって、前述の垂直画像同期信号を受け取り、並びに該垂直画像同期信号に基づきセンサタイミング信号を生成する、上記センサタイミングジェネレータと、
センサであって、前述のセンサタイミング信号を受け取り、並びに画像をキャプチャした後、オリジナル画像データを生成する、上記センサと、
画像カラー処理ユニットであって、前述のオリジナル画像データを受け取り、並びに該オリジナル画像データに対して画像処理を行い、目標画像データを生成する、上記画像カラー処理ユニットと、
ビデオエンコーダであって、前述の垂直画像同期信号と前述の目標画像データを受け取り、並びに該垂直画像同期信号と該目標画像データに対してエンコードを行い、アナログビデオエンコード画像データを生成する、上記ビデオエンコーダと、
を具え、そのうち、前述のデジタル信号がアナログ信号を変換して生成したものであることを特徴とする、画像入出力システムとしている。
請求項２の発明は、請求項１記載の画像入出力システムにおいて、電圧比較器を更に具え、該電圧比較器は前述のアナログ信号を受け取り並びに変換して該アナログ信号の周波数と同期する前述のデジタル信号を生成し、該アナログ信号は電源或いは光源のいずれかとされることを特徴とする、画像入出力システムとしている。
請求項３の発明は、画像入力システムにおいて、
位相比較器であって、デジタル信号と垂直画像同期信号を受け取り、このデジタル信号と垂直画像同期信号のクロックサイクルを比較し、並びにクロック修正信号を生成する、上記位相比較器と、
画像同期信号ジェネレータであって、前述のクロック修正信号を受け取り、且つ前述の垂直画像同期信号の生成に用いられ、該クロック修正信号に基づき該画像同期信号ジェネレータの生成する次の垂直画像同期信号のクロックサイクルを修正する、上記画像同期信号ジェネレータと、
センサタイミングジェネレータであって、前述の垂直画像同期信号を受け取り、並びに該垂直画像同期信号に基づきセンサタイミング信号を生成する、上記センサタイミングジェネレータと、
センサであって、前述のセンサタイミング信号を受け取り、並びに画像をキャプチャした後、オリジナル画像データを生成する、上記センサと、
を具え、そのうち、前述のデジタル信号がアナログ信号を変換して生成したものであることを特徴とする、画像入出力システムとしている。
請求項４の発明は、請求項３記載の画像入出力システムにおいて、電圧比較器を更に具え、該電圧比較器は前述のアナログ信号を受け取り並びに変換して該アナログ信号の周波数と同期する前述のデジタル信号を生成し、該アナログ信号は電源或いは光源のいずれかとされることを特徴とする、画像入出力システムとしている。
【発明の効果】
【０００５】
本発明の画像入出力システムは位相比較器、画像同期信号ジェネレータ、センサタイミングジェネレータ、センサ、画像カラー処理ユニット、及びビデオエンコーダを具えている。該画像入出力システムは電源或いは光源が電圧比較器で変換された後に生成する電源或いは光源周波数と同期するデジタル信号を受け取り、並びに該デジタル信号を参考とし、システムが生成する垂直画像同期信号に対してクロックサイクル補償を実行する。結果として、垂直画像同期信号が交流電源或いは光源周波数と同期し、且つ非常に小さい誤差範囲内に制御可能である。画像入出力システム中のセンサの露光時間点を交流電源或いは光源の周波数及び位相と同期させる。本発明はこれにより画像キャプチャ時に生成するちらつきと色の偏りの問題を解決すると共に、デジタルアナログ変換器の使用量を減らし、製造コストを減らすことができる。
【発明を実施するための最良の形態】
【０００６】
図３は本発明の画像入出力システムを示す。該画像入出力システム３０は、電圧比較器３２、センサビデオピリオド補償ユニット（Ｓｅｎｓｏｒ／Ｖｉｄｅｏ  ｐｅｒｉｏｄ  ｃｏｍｐｅｎｓａｔｉｏｎ  ｕｎｉｔ）３３、センサタイミングジェネレータ３４、センサ３５、画像カラー処理ユニット３６、ビデオエンコーダ３８を具えている。注意すべきことは、該画像入出力システム３０中の全ての部品は、いずれも原システムクロックにより運転し、周知の画像入出力システム１０とは異なることである。これにより図３には特別に各部品が受信するシステムクロックについては記載されていない。
該電圧比較器３２は、アナログ信号Ａｓを受け取り、このアナログ信号Ａｓに対してアナログデジタル変換を行ない、該アナログ信号Ａｓ周波数と同期するデジタル信号Ｖｓを生成する。電圧比較器３２は周知の技術であって、上述の機能を達成するもの、例えばアナログデジタル変換器（Ａ／Ｄ；Ａｎａｌｏｇ  ｔｏ  ｄｉｇｉｔａｌ  ｃｏｎｖｅｒｔｅｒ）であれば、いずれも該電圧比較器３２の実施に用いることができ、このためその詳細な実施方式については説明しない。当然、電圧比較器３２中には別に雑音除去機能を具えた回路、例えばデジタルフィルタを加えてデジタル信号Ｖｓの品質を向上させることが可能である。そのうち、デジタル信号Ｖｓは電源、光源等の信号源のいずれかより生成する。特に光源の部分は、ホトセンサ（Ｐｈｏｔｏ  ｓｅｎｓｏｒ）を利用して光源を直接検出し、光源を電気信号に変換して処理する。
センサビデオピリオド補償ユニット３３はデジタル信号Ｖｓを受け取り、垂直画像同期信号ＶＳＹＮＣを生成し、並びに該垂直画像同期信号ＶＳＹＮＣに対してクロックサイクル（Ｃｌｏｃｋ  ｃｙｃｌｅ）補償を行い、垂直画像同期信号ＶＳＹＮＣとデジタル信号Ｖｓのクロックサイクル長さを等しくする（即ち周波数を同期させる）。図４に示されるように、該センサビデオピリオド補償ユニット３３は位相比較器（Ｐｈａｓｅ  ｃｏｍｐａｒａｔｏｒ）３３２と画像同期信号ジェネレータ３３３を具えている。位相比較器３３２はデジタル信号Ｖｓと画像同期信号ジェネレータ３３３が生成する垂直画像同期信号ＶＳＹＮＣを受け取り、並びにデジタル信号Ｖｓと垂直画像同期信号ＶＳＹＮＣのクロックサイクル位相の前後を比較し、並びにクロック修正信号Ｃｃを生成する。画像同期信号ジェネレータ３３３はクロック修正信号Ｃｃを受け取り、且つ該画像同期信号ジェネレータ３３３は垂直画像同期信号ＶＳＹＮＣを生成するのに用いられる。また画像同期信号ジェネレータ３３３はクロック修正信号Ｃｃに基づき次の垂直画像同期信号ＶＳＹＮＣ’のクロックサイクルの長さを修正する。こうして、不断にデジタル信号Ｖｓを参考とし並びに重複して垂直画像同期信号ＶＳＹＮＣのクロックサイクルを修正することで、垂直画像同期信号ＶＳＹＮＣにアナログ信号Ａｓ周波数ロックと位相同期の機能を達成させる。例えば、仮にある時間点上の垂直画像同期信号ＶＳＹＮＣのクロックサイクルがアナログ信号Ａｓ周波数に同期するデジタル信号Ｖｓのクロックサイクルよりも５０個のクロックが遅れている時、位相比較器３３２の比較により、位相比較器３３２がクロック修正信号Ｃｃを生成し、並びに画像同期信号ジェネレータ３３３に通知し、次のクロックサイクル時に垂直画像同期信号ＶＳＹＮＣのクロックサイクル長さを５０個のクロック分減少するよう通知し、これにより垂直画像同期信号ＶＳＹＮＣがアナログ信号Ａｓの周波数、位相との同期の機能を達成する。そのうち、該センサビデオピリオド補償ユニット３３は更にデジタル信号Ｖｓ位相の位相調整に用いられる位相調整ユニット（Ｐｈａｓｅ  ａｄｊｕｓｔｍｅｎｔ（Ｔｉｍｅ  ｄｅｌａｙ）ｕｎｉｔ）３３１を具え、これは図５に示されるとおりである。該位相調整ユニット３３１はデジタル信号Ｖｓを受け取り、該デジタル信号Ｖｓのクロックサイクルを参考とし、並びに該デジタル信号Ｖｓを所定の時間点まで遅延させる（即ち該デジタル信号Ｖｓの位相を調整する）。当然、該位相調整ユニット３３１はファームウエア、ソフトウエア、或いはハードウエアのいずれか或いはその組合せの方式を利用してデジタル信号Ｖｓの位相遅延を設定するものとされる。
続いて、画像の入力部分について討論する。センサタイミングジェネレータ３４は垂直画像同期信号ＶＳＹＮＣを受け取り、並びに該垂直画像同期信号ＶＳＹＮＣに基づきセンサ３５が必要とするセンサタイミング信号Ｓを生成する。センサ３５はセンサタイミング信号Ｓを受け取り、並びに画像をキャプチャした後、オリジナル画像データＳｒを生成する。画像カラー処理ユニット３６はオリジナル画像データＳｒを受け取り、並びに該オリジナル画像データＳｒに対して画像とカラーの処理を行い、画像品質が良好な目標画像データＴを生成する。注意すべきことは、該垂直画像同期信号ＶＳＹＮＣとアナログ信号Ａｓの周波数、位相は同期し、これによりセンサタイミングジェネレータ３４はアナログ信号Ａｓの周波数と同期するセンサタイミング信号Ｓを生成してセンサ３５に露光時間点の参考として提供することである。結果として、センサ３５の露光時間点はアナログ信号Ａｓと同期を達成し、是に寄りがアナログ信号Ａｓをエネルギー源とする陣族光源の発光周波数と位相は同期を取得し、画像のちらつきと色の偏りの問題を解決できる。
その後は画像の出力部分である。ビデオエンコーダ３８は垂直画像同期信号ＶＳＹＮＣと目標画像データＴを受け取り、並びに垂直画像同期信号ＶＳＹＮＣと目標画像データＴに対してエンコードを行い、アナログビデオエンコード画像データＯを生成する。図６に示されるように、該ビデオエンコーダ３８はビデオタイミングジェネレータ３８１、輝度彩度バースト同期信号ジェネレータ（Ｌｕｍｉｎａｎｃｅ／Ｃｈｒｏｍａ／ｂｕｒｓｔ／Ｓｙｎｃｈｒｏｎｏｕｓ  ｓｉｇｎａｌ  ｇｅｎｅｒａｔｏｒ）３８２、デジタルアナログ変換器３８３を具えている。該ビデオタイミングジェネレータ３８１は垂直画像同期信号ＶＳＹＮＣを受け取り、並びに該垂直画像同期信号ＶＳＹＮＣに基づきビデオタイミングデータＣｖを生成する。輝度彩度バースト同期信号ジェネレータ３８２はビデオタイミングデータＣｖと目標画像データＴを受け取り、輝度（Ｌｕｍｉｎａｎｃｅ）、彩度（Ｃｈｒｏｍａ）バースト（ｂｕｒｓｔ）及び画像同期（Ｉｍａｇｅ  Ｓｙｎｃｈｒｏｎｏｕｓ）の整合とエンコード処理を行い、デジタルビデオエンコード画像データＯｄを生成する。デジタルアナログ変換器３８３はデジタルビデオエンコード画像データＯｄを受け取り並びに変換してアナログビデオエンコード画像データＯを生成する。そのうち、全体の画像入出力システム３０は同一のシステムクロックを採用して運転する。周知の技術においては、別にフェースロック回路１３とタイミングジェネレータ１７を使用してビデオエンコーダ３８に二種類の異なるタイミングを提供する必要があり、このためにビデオエンコーダ３８の周波数誤差範囲の制限に対して、極めて高い彩度、バースト信号処理（図２の彩度バースト信号ジェネレータ１８４）を要求し、これにより輝度と同期信号処理（図２の輝度と同期信号ジェネレータ１８２）と同様のシステムクロックを採用できる。本発明は異なる周波数のタイミングジェネレータ１７（図１）を増加することで正確なタイミング信号ＣＫを提供する必要がなく、ゆえに別にデジタルアナログ変換器１８５８図２）を増加する必要がない。ゆえに、ビデオエンコーダ３８は図２の輝度と同期信号ジェネレータ１８２と彩度バースト信号ジェネレータ１８４を合併させて、輝度彩度バースト同期信号ジェネレータ３８２として実施でき、これにより該ビデオエンコーダ３８は一つのデジタルアナログ変換器３８３を使用するだけでデジタルアナログ変換を行なえ、全体の画像入出力システム３０の製造コストを下げることができる。
本発明の画像入出力システム３０と周知の画像入出力システム１０の最大の差異は、画像入出力システム３０はセンサビデオピリオド補償ユニット３３を利用してアナログ信号Ａｓの周波数と同期するデジタル信号Ｖｓを参考となすことで、画像同期信号ジェネレータ３３３が生成する垂直画像同期信号ＶＳＹＮＣに対してクロックサイクル補償を行なうことである。結果として、垂直画像同期信号ＶＳＹＮＣは非常に小さい誤差範囲内に制御され、且つアナログ信号Ａｓの周波数と同期を達成し、これにより画像入出力システム３０中のセンサ３５の露光時間点はアナログ信号Ａｓの周波数と同期し、センサ３５の画像キャプチャ時に生成するちらつきと色の偏りの問題が解決される。
また、本発明の画像入出力システム３０は同一のシステムクロックをクロック信号として採用し、ゆえにビデオエンコーダ３８は同時に画像の輝度、彩度、バースト、及び画像同期の整合とエンコード処理を行なえる。これにより、本発明の画像入出力システム３０は使用するデジタルアナログ変換器が一つだけですみ、製造コストを減らすことができる。
本実施例は、画像の入力システムと出力システムを合併して討論を行い、並びに該画像入出力システム３０がいかに垂直画像同期信号ＶＳＹＮＣにアナログ信号Ａｓの周波数との同期を達成させるかの実施構造について説明している。別の実施例では画像入力システム３０’のみを使用し、図７に示されるように、垂直画像同期信号ＶＳＹＮＣとアナログ信号Ａｓの周波数の同期の機能を達成し、画像入力システム３０’中のセンサ３５の画像キャプチャ時に生成するちらつきと色の偏りの問題を解決する。そのうち、図７の画像入力システム３０’は、電圧比較器３２、センサビデオピリオド補償ユニット３３、センサタイミングジェネレータ３４、及びセンサ３５を具えている。当然、該画像入力システム３０’は更に画像カラー処理ユニット３６を包含可能で、これは図８に示されるようである。該画像入力システム３０’の出力するオリジナル画像データＳｒ或いは目標画像データＴは各種保存媒体或いは伝送インタフェースに出力される。
以上の実施例は説明のために提示されたものであり、本発明の範囲を限定するものではなく、以上の実施例及び図面に基づきなしうる細部の修飾或いは改変は、いずれも本発明の請求範囲に属するものとする。
【図面の簡単な説明】
【０００７】
【図１】周知の画像入出力システムの表示図である。
【図２】周知のビデオエンコーダの表示図である。
【図３】本発明の画像入出力システムの表示図である。
【図４】本発明のセンサビデオピリオド補償ユニットの表示図である。
【図５】本発明のセンサビデオピリオド補償ユニットの別の実施例の表示図である。
【図６】本発明のビデオエンコーダの表示図である。
【図７】本発明の画像入力システムの表示図である。
【図８】本発明の画像入力システムの別の実施例の表示図である。
【符号の説明】
【０００８】
１０、３０  画像入出力システム
３０’  画像入力システム
１１  交流電源
１２、３２  電圧比較器
１３  フェースロック回路
１４、３４  センサタイミングジェネレータ
１５、３５  センサ
１６、３６  画像カラー処理ユニット
１７  タイミングジェネレータ
１８、３８  ビデオエンコーダ
１８１、３８１  ビデオタイミングジェネレータ
１８２  輝度と同期信号ジェネレータ
１８３、１８５、３８３  デジタルアナログ変換器
１８４  彩度バースト信号ジェネレータ
３８２  輝度彩度バースト同期信号ジェネレータ
３３  センサビデオピリオド補償ユニット
３３１  位相調整ユニット
３３２  位相比較器
３３３  画像同期信号ジェネレータ
【図１】
2006238399.tif 000003
【図２】
2006238399.tif 000004
【図３】
2006238399.tif 000005
【図４】
2006238399.tif 000006
【図５】
2006238399.tif 000007
【図６】
2006238399.tif 000008
【図７】
2006238399.tif 000009
【図８】
2006238399.tif 000010